(57)【要約】【課題】本発明は送受信機能が停止している状態からの緊急発信の処理が途中で中断されるのを防止する機能を備えた携帯電話機を提供することを目的とする。【解決手段】無線部部１０２への電源供給を停止する電源部１０３と、緊急発信の発信先を指示する緊急発信指示を検出する発信処理部１０４４と、緊急発信指示が検出されると、電源部１０３に無線部１０２への電源供給を指示するエアプレーモード処理部１０４５と、前記緊急発信指示の検出後、前記緊急発信指示によって指示される発信先との接続が確立するまでの間、外部からの着呼に対する応答を抑止する着信処理部１０４２とを備える。【選択図】 図１
2005167593.tif 000002
【特許請求の範囲】
【請求項１】
送受信部への電源供給を停止する電源停止手段と、
緊急発信の発信先を指示する緊急発信指示を検出する検出手段と、
緊急発信指示が検出されると、前記送受信部へ電源を供給する電源供給手段と、
前記緊急発信指示の検出後、前記緊急発信指示によって指示される発信先との接続が確立するまでの間、外部からの着呼に対する応答を抑止する抑止手段と
を備えることを特徴とする携帯電話機。
【請求項２】
前記抑止手段は、前記緊急発信指示の検出後、前記緊急発信指示によって指示される発信先との接続が確立するまでの間、外部からの着呼に対する接続チャネル割当要求メッセージの基地局への送信を禁止することにより、外部からの着呼に対する応答を抑止する
ことを特徴とする請求項１記載の携帯電話機。
【請求項３】
前記携帯電話機は、
位置登録している基地局を含む複数の基地局から送信される電波の電界強度を測定する測定手段と、
位置登録をしている基地局について測定した電界強度が所定のレベル以下の場合に、測定した電界強度が所定のレベルを超える複数の何れかの基地局に位置登録要求を行なう位置登録要求手段と、
電界強度の測定値が大きい基地局順に接続を試み、接続できた基地局を介して前記発信先との接続を確立する接続手段と、
前記緊急発信指示の検出後、前記緊急発信指示によって指示される発信先との接続が確立するまでの間、位置登録要求を抑止する位置登録要求抑止手段と
を備えることを特徴とする請求項１又は２に記載の携帯電話機。
【発明の詳細な説明】
【技術分野】
【０００１】
本発明は、携帯電話機に関し、特に警察や消防への通報のための緊急発信に基づく接続を優先させるための技術に関する。
【背景技術】
【０００２】
近年、携帯電話機の急速な普及に伴い、火事や事故や重病人の発生などの緊急事態が発生した場合の警察や消防署への通報のための緊急発信が携帯電話機を介して行なわれるケースが増大している。
一方、このような緊急発信があっても、緊急発信を受取る基地局側の通話チャネルが全てふさがっている場合には、緊急発信に基づく接続が基地局側で拒否されてしまうため、このような緊急発信に基づく接続を優先させる技術として、特許文献１及び特許文献２が開示されている。
【０００３】
特許文献１においては、移動局側から強制発呼要求付きの発呼信号を受け取った際に、基地局側で、優先度の低い通話を終話して、解放したチャネル を緊急呼に割り当てることにより、緊急呼を優先的に接続する技術が開示されている。
特許文献２においては、基地局側において、移動局からの発呼要求の緊急性を判定し、判定結果に応じて、優先度の低い通話を一時保留あるいは終話させ、解放した通話チャネル を緊急呼に割り当てる技術が開示されている。
【０００４】
これらの技術を利用することにより、携帯電話機からの緊急発信を他の発信に優先させて接続させることが可能となる。
【特許文献１】特開平2-9239
【特許文献２】特開平6-315180
【発明の開示】
【発明が解決しようとする課題】
【０００５】
しかしながら、携帯電話機からの緊急発信が基地局に接続されるまでに、外部からの着信があった場合には、当該携帯電話機において着信処理が優先されるため、携帯電話機における緊急発信の処理が途中で中断されるので、ユーザーは緊急発信をやり直さなければならないという問題が生じる。
特に、電源オフ等により携帯電話機の送受信機能が停止している状態から、電源をオンにして緊急発信を行なう場合には、すぐに発信処理を開始することができないため、発信処理を開始するまでの間に外部からの着信を受取る可能性がそれだけ高くなる。
【０００６】
そこで、本発明は送受信機能が停止している状態からの緊急発信の処理が途中で中断されるのを防止する機能を備えた携帯電話機を提供することを目的とする。
【課題を解決するための手段】
【０００７】
上記課題を解決するために、本発明は、送受信部への電源供給を停止する電源停止手段と、緊急発信の発信先を指示する緊急発信指示を検出する検出手段と、緊急発信指示が検出されると、前記送受信部へ電源を供給する電源供給手段と、前記緊急発信指示の検出後、前記緊急発信指示によって指示される発信先との接続が確立するまでの間、外部からの着呼に対する応答を抑止する抑止手段とを備える。
【発明の効果】
【０００８】
本発明は、上記の構成を備えることにより、携帯電話機からの緊急発信が発信先に接続されるまでの間、外部からの着呼が無視されるので、緊急発信の処理が外部からの着呼により途中で中断されることなく、携帯電話機の送受信機能が停止している状態からの緊急発信に基づく発信先との接続の確立を迅速に行なうことができる。
ここで、前記抑止手段は、前記緊急発信指示の検出後、前記緊急発信指示によって指示される発信先との接続が確立するまでの間、外部からの着呼に対する接続チャネル割当要求メッセージの基地局への送信を禁止することにより、外部からの着呼に対する応答を抑止することとしてもよい。
【０００９】
これにより、緊急発信の処理中に外部からの着呼があっても、着呼に対する接続チャネルが基地局によって割当られることがないので、携帯電話機に緊急発信の処理を優先させることができる。
ここで、前記携帯電話機は、位置登録している基地局を含む複数の基地局から送信される電波の電界強度を測定する測定手段と、位置登録をしている基地局について測定した電界強度が所定のレベル以下の場合に、測定した電界強度が所定のレベルを超える複数の何れかの基地局に位置登録要求を行なう位置登録要求手段と、電界強度の測定値が大きい基地局順に接続を試み、接続できた基地局を介して前記発信先との接続を確立する接続手段と、前記緊急発信指示の検出後、前記緊急発信指示によって指示される発信先との接続が確立するまでの間、位置登録要求を抑止する位置登録要求抑止手段とを備えることとしてもよい。
【００１０】
これにより、緊急発信の処理中に位置登録要求すべき事態が生じた場合においても、位置登録要求の処理が抑止されるので、位置登録要求の処理が実行されることにより、緊急発信の処理が遅延することなく、緊急発信に基づく発信先との接続を迅速に行なうことができる。
又、電波の強い基地局から順に接続が試みられるので、通信状態が良好な近距離にある基地局に優先的に接続することができる。
【発明を実施するための最良の形態】
【００１１】
＜構成＞
図１は、本発明の実施の形態における携帯電話機１００の構成を示す機能ブロック図である。携帯電話機１００は、図１に示す通り、アンテナ１０１、無線部１０２、電源部１０３、制御部１０４、音声処理部１０５、入力部１０６、表示部１０７、記憶部１０８、スピーカー１０９、マイク１１０から構成される。
【００１２】
無線部１０２は、アンテナ１０１を介して基地局（図外）から送信された、下り制御チャネルの信号や通話用に基地局から割当てられる接続チャネルを介して伝送される音声信号や文字データ、画像データを含む通信信号を復調処理して、制御部１０４に出力し、制御部１０４より入力される上り制御チャネル信号に含める制御データや音声データ、文字データ、画像データなどの各種データを変調処理し、アンテナ１０１を介して基地局に送信する。
【００１３】
電源部１０３は、制御部１０４からの電源供給指示に応じて、無線部１０２へ電源を供給し、制御部１０４からの電源供給停止指示に応じて、無線部１０２への電源供給を停止する。
音声処理部１０５は、制御部１０４より入力された音声データをＤ／Ａ変換して音声信号を生成し、スピーカー１０９に出力し、マイク１１０から入力された音声信号をＡ／Ｄ変換して音声データを生成し、制御部１０４に出力する。
【００１４】
入力部１０６は、ユーザーからの各種指示を受取り、制御部１０４に出力する。具体的には、ユーザーからエアプレーンモード開始及び終了指示、発信指示及び通話終了指示を受取り、制御部１０４に出力する。
ここで、「エアプレーンモード」とは、無線部１０２への電源供給を停止して、無線部１０２の送受信機能を停止状態にすることをいい、エアプレーンモード開始指示により起動されて、無線部１０２の送受信機能が停止状態にされ、エアプレーンモード終了指示により解除されて送受信機能が起動する。
【００１５】
又、「発信指示」とは、ユーザーにより電話番号が入力されることをいう。なお、入力される電話番号は、短縮ダイヤルであってもよい。
表示部１０７は、制御部１０４より入力された文字データ、画像データに基づいて、文字や画像を表示する。
記憶部１０８は、電界強度閾値、自局番号、緊急発信番号及び位置登録している基地局の識別番号等を記憶している。
【００１６】
ここで、「電界強度閾値」とは、基地局から送信される下り制御チャネル信号の電界強度が位置登録可能な電界強度値であるか否かの判定基準となる電界強度値のことをいい、電界強度が電界強度閾値以下の場合には、電界強度が電界強度閾値を超える他の基地局が位置登録される。具体的には、基地局から送信される下り制御チャネル信号に含まれる当該基地局を識別するための識別番号を取得し、当該識別番号を自局番号と対応付けて交換局に位置登録する。
【００１７】
又、「自局番号」とは、携帯電話機１００を識別するための電話番号のことをいう。
又、「緊急発信番号」とは、予め設定されている、緊急事態が発生した場合の通報先を識別するための電話番号のことをいい、例えば、警察や消防署や契約を結んでいる警備センター等の緊急連絡先の電話番号のことをいう。
制御部１０４は、位置登録要求部１０４１、着信処理部１０４２、電界強度測定部１０４３、発信処理部１０４４、エアプレーンモード処理部１０４５から構成される。
【００１８】
制御部１０４は、マイクロプロセッサとＲＯＭ（Read Only Memory）及びＲＡＭ（Random Access Memory）、などから構成され、ＲＯＭに格納されている制御プログラムに従って、以下に示す各処理を行う。
位置登録要求部１０４１は、位置登録している基地局から送信される制御チャネル信号の電界強度の測定値が電界強度測定部１０４３から入力されると、当該電界強度値を記憶部１０８に記憶されている電界強度閾値と比較し、当該測定値が電界強度閾値以下である場合に、発信処理部１０４４の保持する発信処理判定フラグ値に基づいて、緊急発信処理中であるか否かを判定し、緊急発信処理中でない場合に限り、以下に示す位置登録要求処理を実行する。
【００１９】
位置登録要求部１０４１は、電界強度測定部１０４３に近隣基地局から送信される各制御チャネル信号の電界強度の測定を指示し、電界強度測定部１０４３から電界強度の測定値と基地局の識別番号とを取得し、当該測定値が電界強度閾値を超えるか否かを判定し、超える場合に、記憶部１０８に記憶されている自局番号を読出し、取得した識別番号と読出した自局番号とを制御データとして発信処理部１０４４、無線部１０２を介して当該識別番号の基地局に送信し、当該基地局に対して位置登録を要求し、当該識別番号を記憶部１０８に記録する。
【００２０】
着信処理部１０４２は、無線部１０２から入力される下り制御チャネル信号に着呼信号が含まれているか否かを監視し、含まれている場合には、発信処理部１０４４の保持する発信処理判定フラグ値に基づいて、緊急発信処理中であるか否かを判定し、緊急発信処理中でない場合に限り、接続チャネル割当要求メッセージを作成し、制御データとして無線部１０２を介して基地局に送信する。
【００２１】
電界強度測定部１０４３は、無線部１０２より入力される下り制御チャネル信号の電界強度を測定し、電界強度の測定値と当該制御チャネル信号に含まれる基地局の識別番号とを位置登録要求部１０４１に出力する。
又、電界強度測定部１０４３は、位置登録要求部１０４の指示に応じて、或いは、無線部１０２に電源が供給されて送受信機能が起動された場合に、近隣基地局から送信される制御チャネル信号の各電界強度を測定し、各電界強度の測定値と当該制御チャネル信号に含まれる基地局の識別番号とを位置登録要求部１０４１及び発信処理部１０４４にそれぞれ出力する。
【００２２】
発信処理部１０４４は、レジスタを有し、レジスタに緊急発信番号の発信処理中（以下、「緊急発信処理中」という。）であるか否かを示す発信処理判定フラグ値を保持し、入力部１０６から発信指示の入力を受取ると、当該発信指示によって指示される電話番号が、記憶部１０８に記憶されている緊急発信番号と一致するか否かを判定し、一致する場合に発信処理判定フラグ値を１にセットし、エアプレーンモード処理部１０４５の保持するエアプレーンモード判定フラグ値に基づいて、エアプレーンモードが起動中であるか否かを判定し、起動中である場合にエアプレーンモード処理部１０４５にエアプレーンモードの解除を指示し、入力部１０６から通話終了指示を受取ると、発信処理判定フラグ値を「０」にセットする。
【００２３】
さらに、電源強度測定部１０４３より入力された近隣基地局から送信される制御チャネルの各電界強度の測定値を比較し、電界強度が大きい基地局順に接続確立処理を試みる。
具体的には、電界強度が大きい基地局順に接続チャネルの割当を要求し、接続チャネルが基地局から割当てられると、当該基地局に緊急発信先の呼出を要求し、当該基地局を介して緊急発信先からの応答を受信し、通信を開始する。
【００２４】
エアプレーンモード処理部１０４５は、レジスタを有し、レジスタにエアプレーンモードが起動中であるか否かを示すエアプレーンモード判定フラグ値を保持し、入力部１０６よりエアプレーンモード開始指示の入力を受取ると、電源部１０３に無線部１０２への電源供給の停止を指示し、エアプレーンモードを起動し、エアプレーンモード判定フラグ値を「１」にセットする。
【００２５】
又、エアプレーンモード処理部１０４５は、発信処理部１０４４からエアプレーンモードの解除指示を受取ると、電源部１０３に無線部１０２への電源供給を指示し、エアプレーンモードを解除し、エアプレーンモード判定フラグ値を「０」にセットする。
＜動作＞
次に、エアプレーンモードの起動後に携帯電話機１００の行なう緊急発信の接続確立処理の動作について説明する。
【００２６】
図２及び図３は、上記動作を示すフローチャートである。以下、図２及び図３を参照して、上記動作について説明する。
エアプレーンモード処理部１０４５は、入力部１０６よりエアプレーンモード開始指示の入力を受取ると、電源部１０３に無線部１０２への電源供給の停止を指示し、エアプレーンモードを起動し（ステップＳ２０１）、エアプレーンモード判定フラグ値を「１」にセットする。
【００２７】
電源部１０３は、エアプレーンモード処理部１０４５からの電源供給停止指示に応じて、無線部１０２への電源供給を停止する（ステップＳ２０２）。
発信処理部１０４２は、入力部１０６より発信指示を受取ると（ステップＳ２０３：Ｙ）、指示された電話番号が記憶部１０８に記憶されている緊急発信番号に該当するか否かを判定する（ステップＳ２０４）。
【００２８】
緊急発信番号である場合（ステップＳ２０４：Ｙ）、エアプレーンモード処理部１０４５の保持するエアプレーンモード判定フラグ値に基づいて、エアプレーンモードが起動中であると判定し、エアプレーンモード処理部１０４５にエアプレーンモードの解除を指示し、エアプレーンモード処理部１０４５は、発信処理部１０４４からエアプレーンモードの解除指示を受取ると、電源部１０３に無線部１０２への電源供給を指示し（ステップＳ２０５）、エアプレーンモードを解除し、エアプレーンモード判定フラグ値を「０」にセットし、電源部１０３は、エアプレーンモード処理部１０４５からの電源供給指示に応じて、無線部１０２へ電源を供給する。
【００２９】
電界強度測定部１０４３は、無線部１０２に電源が供給されて送受信機能が起動されると、近隣基地局から送信される制御チャネル信号の各電界強度を測定し（ステップＳ２０６）、電界強度の測定値と当該制御チャネル信号に含まれる基地局の識別番号とを位置登録要求部１０４１及び発信処理部１０４４に出力する。
位置登録要求部１０４１は、電界強度測定部１０４３から電界強度の測定値と当該制御チャネル信号に含まれる基地局の識別番号とが入力されると、後述する位置登録禁止処理を開始する（ステップＳ２０７）。
【００３０】
さらに、着信処理部１０４２は、無線部１０２への電源供給が開始されると、後述する着信拒否処理を開始する（ステップＳ２０８）。
さらに、発信処理部１０４４は、電界強度測定部１０４３より入力された近隣基地局から送信される制御チャネルの各電界強度の測定値を比較し、測定値が最大を示す識別番号の基地局に対して、無線部１０２を介して接続チャネルの割当要求をする（ステップＳ２０９）。
【００３１】
基地局から接続チャネルが割当られた場合（ステップＳ２１０：Ｙ）、発信処理部１０４４は、無線部１０２を介して当該基地局に緊急発信先の呼出を要求し（ステップＳ２１１）、当該基地局から緊急発信先からの応答があったことの通知を無線部１０２を介して受取ると（ステップＳ２１２）、音声処理部１０５より入力される音声データを無線部１０２を介して当該基地局に送信することにより、緊急発信先との通話を開始し（ステップＳ２１３）、入力部１０６より通話終了指示を受取ると、発信処理判定フラグ値を「０」にセットし、通話終了信号を無線部１０２を介して当該基地局に送信する（ステップＳ２１４）。
【００３２】
位置登録要求部１０４１は、緊急発信に基づく通話が終了すると、後述する位置登録禁止処理を終了する（ステップＳ２１５）。
さらに、着信処理部１０４２は、緊急発信に基づく通話が終了すると、後述する着信拒否処理を終了する（ステップＳ２１６）。
ステップＳ２１０において、基地局から接続チャネルが割当られなかった場合（ステップＳ２１０：Ｎ）、発信処理部１０４４は、当該基地局を接続チャネルの割当要求先候補から除外し（ステップＳ２１７）、電界強度測定部１０４３より入力された全ての識別番号の基地局に対して、接続チャネルの割当要求をしたか否かを判定する（ステップＳ２１８）。
【００３３】
全ての識別番号の基地局に対して、接続チャネルの割当要求をしていない場合（Ｓ２１８：Ｎ）、発信処理部１０４４は、ステップＳ２１７において除外した基地局を除く基地局についての電界強度を比較し、ステップＳ２０９の処理を行なう。
又、ステップＳ２０３及びステップＳ２０４における判定結果が否定的である場合（ステップＳ２０３：Ｎ、ステップＳ２０４：Ｎ）、ステップＳ２０２の処理に移行し、ステップＳ２１８における判定結果が肯定的である場合（ステップＳ２１８：Ｙ）、接続確立処理を終了する。
【００３４】
次に、位置登録要求部１０４１の行なう位置登録禁止処理の動作について説明する。図４は、上記動作を示すフローチャートである。以下、図４を参照して上記動作について説明する。
位置登録要求部１０４１は、電界強度測定部１０４３から位置登録している基地局からの制御チャネル信号の電界強度の測定値の入力があると（ステップＳ３０１）、当該測定値が記憶部１０８に記憶されている電界強度閾値以下であるか否かを判定する（ステップＳ３０２）。
【００３５】
電界強度閾値以下である場合（ステップＳ３０２：Ｙ）、位置登録要求部１０４１は、発信処理部１０４４の保持する発信処理判定フラグ値に基づいて、緊急発信処理中であるか否かを判定する（ステップＳ３０３）。
緊急発信処理中でない場合（ステップＳ３０３：Ｎ）、位置登録要求部１０４１は、位置登録要求処理を実行し（ステップＳ３０４）、緊急発信処理中の場合（ステップＳ３０３：Ｙ）、ステップＳ３０１の処理に移行する。
【００３６】
又、ステップＳ３０２の判定結果が否定的である場合（ステップＳ３０２：Ｎ）、位置登録要求部１０４１は、ステップＳ３０１の処理に移行する。
次に、着信処理部１０４２の行なう着信拒否処理の動作について説明する。
図５は、上記動作を示すフローチャートである。以下、図５を参照して上記動作について説明する。
【００３７】
着信処理部１０４２は、無線部１０２から入力される下り制御チャネル信号に着呼信号が含まれているか否かを監視することにより、外部からの着信があったか否かを判定する（ステップＳ４０１）。
着信があった場合（ステップＳ４０１：Ｙ）、着信処理部１０４２は、発信処理部１０４４の保持する発信処理判定フラグ値に基づいて、緊急発信処理中であるか否かを判定する（ステップＳ４０２）。
【００３８】
緊急発信処理中である場合（ステップＳ４０２：Ｙ）、基地局への接続チャネル割当要求メッセージの送信を抑止し（ステップＳ４０５）、ステップＳ４０１の処理に移行する。
ステップＳ４０２における判定結果が否定的である場合（ステップＳ４０２：Ｎ）、着信処理部１０４２は、接続チャネル割当要求メッセージを基地局に送信し（ステップＳ４０３）、基地局から接続チャネルの割当を受けることにより基地局との接続を確立する（ステップＳ４０４）。
＜補足＞
以上、本発明に係る携帯電話機１００について、実施の形態に基づいて説明したが、本発明はこれら実施の形態に限られないことは勿論である。
【００３９】
例えば、本実施の形態においては、図３の携帯電話機１００の行なう緊急発信の接続確立処理の動作において、緊急発信に基づく通話が終了すると、位置登録要求部１０４１及び着信処理部１０４２は、それぞれ位置登録禁止処理及び着信拒否処理を終了することとしたが（ステップＳ２１５、ステップＳ２１６）、ステップＳ２１２の処理後に終了することとしてもよいし、ステップＳ２１０の処理において、接続チャネルが基地局から割当てられた後に終了することとしてもよい。
【産業上の利用可能性】
【００４０】
携帯電話機において、通報のための緊急発信を迅速に発信先に接続するための技術として利用できる。
【図面の簡単な説明】
【００４１】
【図１】本発明の実施の形態における携帯電話機１００の構成を示す機能ブロック図である。
【図２】エアプレーンモードの起動後に携帯電話機１００の行なう緊急発信の接続確立処理の動作の前半部分を示すフローチャートである。
【図３】エアプレーンモードの起動後に携帯電話機１００の行なう緊急発信の接続確立処理の動作の後半部分を示すフローチャートである。
【図４】位置登録要求部１０４１の行なう位置登録禁止処理の動作を示すフローチャートである。
【図５】着信処理部１０４２の行なう着信拒否処理の動作を示すフローチャートである。
【符号の説明】
【００４２】
１００    携帯電話機
１０１    アンテナ
１０２    無線部
１０３    電源部
１０４    制御部
１０４１  位置登録要求部
１０４２  着信処理部
１０４３  電界強度測定部
１０４４  発信処理部
１０４５  エアプレーンモード処理部
【図１】
2005167593.tif 000003
【図２】
2005167593.tif 000004
【図３】
2005167593.tif 000005
【図４】
2005167593.tif 000006
【図５】
2005167593.tif 000007